(57)【要約】【課題】発光素子の配列を簡素化し、かつ広範囲にわたる照明が可能であるとともに、グレアを低減できる照明装置を提供することにある。【解決手段】防犯灯（照明装置）１０は、筐体１５と、器具本体１７と、複数の光源体（光源モジュール）１２を具備する。器具本体１７を、互いの背面が対向する一対の取付け部１７ｃ及びこれらを接続した稜部１７ｂを有して断面Ｖ字状に形成する。稜部１７ｂを下方に向けて器具本体１７を筐体１５に支持する。光源体１２は反射体（反射部材）１４及び複数のＬＥＤ（発光素子）を備える。反射体１４は樋状の鏡面からなる反射面を有する。複数のＬＥＤを、反射面の内側でかつ幅方向中央部位に反射体１４が延びる方向と同方向に延びる列をなして配設する。複数の光源体１２を、各取付け部１７ｂの夫々に器具本体１７の長手方向に並べて取付けたことを特徴としている。【選択図】      図２
2010153400.tif 000002
【特許請求の範囲】
【請求項１】
複数の半導体発光素子が実装された基板を有する光源体と；
稜部を下方に向けて断面が略Ｖ字形をなし、互いの背部が対向する一対の両辺部にそれぞれ光源体が取付けられる器具本体と；
光源体よりも照射方向側に取付けられる制光体と；
を具備したことを特徴とする照明装置。
【請求項２】
照明装置が取付けられる支柱側の、器具本体内の狭い空間部に点灯装置が収容されているとともに、支柱から離間した広い空間側に光源体が収容されていることを特徴とする請求項１に記載の照明装置。
【請求項３】
前記器具本体の点灯装置側よりも光源体側程高くなるように取付けられていることを特徴とする請求項１または２に記載の照明装置。
【発明の詳細な説明】
【技術分野】
【０００１】
本発明は、道路、公園等の主に屋外で街路灯、防犯灯、庭園灯、及び投光器等として使用される照明装置に関する。
【背景技術】
【０００２】
この種の照明装置は、道路の歩道側に設置された支柱等の高所に取付けられ、蛍光ランプやＨＩＤランプを光源として路面を照明することが一般的である。しかし、近年、省エネルギー化や省メンテナンス等の観点から、発光ダイオードを屋外照明装置の光源として利用することが検討されている。
【０００３】
屋外照明を行う防犯灯においては、道路面を適度な明るさで照明する必要があり、防犯照明の推奨照度が求められている。すなわち、照明の効果として、歩行者の挙動・姿勢などがわかるように、水平面照度（平均値）が３ルックス、鉛直面照度（最小値）が０．５ルックスになるように防犯灯を設置することが求められている。同時に防犯灯の設置間隔をできるだけ広くすることにより設置コストを削減することが求められ、経済的に広範囲の配光を得ることが要請されている。
【０００４】
このため、特許文献１に示される白色発光ダイオードを用いた屋外照明器具が提案されている。これは、複数の白色発光ダイオードを取付けた複数の平面プリント基板が、白色発光ダイオードが下面側に指向するように、しかも他方向に指向するように多角形状に多数配装されたものである。
【特許文献１】特開２００４−２００１０２号公報
【発明の開示】
【発明が解決しようとする課題】
【０００５】
しかしながら、特許文献１にも示されるように、発光ダイオードのように発光部の小さな光源を利用して、防犯灯のように道路を照明する配光を得るためには、数多くの発光ダイオードを配列して使用する必要があり、コスト的な問題が生じると共に、構造的にも複雑化し組み立て作業も煩雑になる。
【０００６】
このため、この種、発光ダイオード等の発光素子を光源とする防犯灯等の照明装置においては、発光素子の配列を簡素にしながらも道路を広範囲にわたり照明することが可能な照明装置を如何にして実現するかが重要な課題となっている。
【０００７】
更に、発光ダイオードは小さいにも拘らず発光強度が高い。そのため、多方向への照明のために特許文献１のように数多くの発光ダイオードを用いた照明装置は、輝度が高く眩しさ（グレア）を与えやすい。
【０００８】
本発明の目的は、発光素子の配列を簡素化し、かつ広範囲にわたる照明が可能であるとともに、グレアを低減できる照明装置を提供することにある。
【課題を解決するための手段】
【０００９】
請求項１に係る発明の照明装置は複数の半導体発光素子が実装された基板を有する光源体と；稜部を下方に向けて断面が略Ｖ字形をなし、互いの背部が対向する一対の両辺部にそれぞれ光源体が取付けられる器具本体と；光源体よりも照射方向側に取付けられる制光体と；を具備したことを特徴としている。
【００１０】
請求項１の発明で、光源モジュールの発光素子は、好適には発光ダイオード（ＬＥＤ）や半導体レーザーなど、半導体を発光源とした発光素子が許容され、ＬＥＤの場合は例えばＳＭＤ型のＬＥＤを好適に用いることができる。発光素子列をなす発光素子の個数、光源モジュールの個数は任意に選定できる。発光素子列をなす複数個の発光素子は、同一機能、性能を有するものが好適であるが、機能、性能が異なる発光素子で構成してもよい。
【００１１】
請求項１の発明で、筐体は、例えば、アルミダイカスト等からなる金属や、光を透過させない合成樹脂等で構成して光を遮断することが好ましいが、光障害とならない範囲で、多少光が漏れるものも許容される。請求項１の発明で、器具本体は、金属や合成樹脂で形成できるが、発光素子がＬＥＤである場合、アルミダイカスト等からなる金属製とし、これにＬＥＤを熱伝導可能に配設することで，ＬＥＤの放熱を促進する構成とすることが好ましい。
【００１２】
請求項１の発明で、器具本体は、例えば、断面が略Ｖ字形をなし、互いの背部が対向するＶ字の一対の両辺部（取付け部）に複数の光源モジュールをそれぞれ配置することが許容されるが、器具本体の断面形状はＶ字形に限らずＵ字形であってもよい。要は、複数の光源モジュールからの光の出射方向が略対称となるように配置するための一対の取付け部を有した全ての器具本体が許容される。
【００１３】
請求項１の発明の照明装置は、道路、公園等の照明をなす防犯灯などの屋外照明装置として好適に使用されるが、室内の廊下や通路等の長手方向（道路等が延びる方向）に所定の明るさを必要とする場所に設置される屋内用照明器具として使用することもできる。請求項１の発明の照明装置を例えば防犯灯に使用する場合、筐体の両側から光を斜め下方に出射して、道路の長手方向に沿って広範囲な配光を得るようにすることが好ましい。
【００１４】
請求項２に係る発明の照明装置は、請求項１の発明において照明装置が取付けられる支柱側の、器具本体内の狭い空間部に点灯装置が収容されているとともに、支柱から離間した広い空間側に光源体が収容されていることを特徴としている。
【００１５】
請求項３に係る発明の照明装置は、請求項１または２記載の発明において、前記器具本体の点灯装置側よりも光源体側程高くなるように取付けられていることを特徴としている。
【発明の効果】
【００１６】
請求項１の発明の照明装置によれば、発光素子の配列を簡素化し、かつ広範囲にわたる照明が可能であるとともに、グレアを低減できる。
【００１７】
請求項２の発明によれば、請求項１の発明において、更に、照明装置の直下の明るさを確保しつつ、照明装置の上方への光漏れによる光害を低減できる。
【００１８】
請求項３の発明によれば、請求項１の発明において、更に、道路幅の中央部に向けて光が照射されて小斜面の照度を高くすることができる。
【発明を実施するための最良の形態】
【００１９】
以下、本発明を防犯灯に適用した第１実施形態を図１〜図８を参照して説明する。
【００２０】
符号１０は第１実施形態の照明装置である防犯灯を示している。この防犯灯１０は、複数の発光素子１１及び反射部材例えば反射体１４を備えた複数の光源モジュール例えば光源体１２、発光素子１１からの光が透過する透光性のカバー例えば制光体１３、各光源体１２を支持する器具本体１７、制光体１３及び器具本体１７を支持する筐体１５、筐体１５を支持する支持部材１６を具備している。
【００２１】
発光素子１１は、半導体発光素子例えば発光ダイオード（以下「ＬＥＤ」と称す）で構成し、同一性能を有する複数個のＬＥＤ１１が用意される。各ＬＥＤ１１は、本実施形態では青色ＬＥＤチップとこの青色ＬＥＤチップにより励起される黄色蛍光体により白色を発光する高輝度、高出力のＳＭＤ型のＬＥＤからなる。これらＬＥＤ１１の光軸ｏ−ｏは、ＬＥＤ１１が実装されるモジュール基板１１ａの実装面に対して略鉛直方向に延びている（図５）。
【００２２】
モジュール基板１１ａは細長矩形状をなす回路基板からなる。このモジュール基板１１ａ上にＬＥＤ１１が複数個、本実施形態では２４個のＬＥＤ１１がモジュール基板１１ａの長手方向の中心線、すなわち光源体１２の中心線ｘ−ｘに沿って略直線状に実装されている。したがって、各ＬＥＤ１１は略直線状の列をなして配列されている。これら複数のＬＥＤ１１とモジュール基板１１ａにより線モジュールが構成される。この線モジュールは、複数本、本実施形態では１０本用意される。
【００２３】
各線モジュールの夫々に反射体１４が組み合わされて光源体１２が構成される。即ち、図５に示すように反射体１４は、ステンレス若しくはアルミニウムの板材からなり断面が略Ｕ字形をなす樋状の反射面１４ａを有して構成される。この反射体１４が延びる方向の上下両端は開放されている。反射体１４の内側の幅方向中央部、詳しくは樋の底部に、上記構成の線モジュールが、その中心線ｘ−ｘを反射体１４の長手方向の中心線ｙ−ｙに沿うように位置させて支持される。各線モジュールの上下の端部は反射体１４の内面にネジ等の固定手段で取付ける。これにより、略線状をなす線モジュールの両側に、左右対称に反射体１４の反射面１４ａが位置し、各ＬＥＤ１１から両側に向かって放射される照射光がＬＥＤの光軸ｏ−ｏに向かうように反射される。反射体１４を備えた光源体１２は、複数個、本実施形態では１０個用意される。各反射体１４は、凹んだ内面を鏡面に仕上げて構成されている。
【００２４】
筐体１５は、アルミダイカスト製で、一面具体的には下面に開口部１５ａを形成した略船底形状をなす箱体で構成されている。この筐体１５内に開口部１５ａに面して上述した反射体１４を装着した器具本体１７を収納し支持する。すなわち、筐体１５の一方の空間部、図２において右方の広い空間部に、筐体１５の長手方向の中心線ｚ−ｚ上に位置してステンレス若しくはアルミニウムの板材からなり断面が略Ｖ字形をなす器具本体１７を支持する。器具本体１７はその稜部１７ｂを下方に向けて筐体１５に固定される。
【００２５】
器具本体１７は、複数の光源体１２を配置するための一対の取付け部、即ち、互いの背部が対向する一対のＶ字の両辺部１７ｃ、１７ｃを有している。器具本体１７は、両辺部１７ｃ、１７ｃが左右対称に、筐体１５の底部に向かって徐々に開きながら傾斜するように位置させて船底形状の底部に固定される（図４）。この状態は、筐体１５を支柱Ｐ（図６）等に設置した場合、Ｖ字の両辺部１７ｃ、１７ｃが左右対称に、上方に向かって徐々に開きながら傾斜し、Ｖ字の両辺部１７ｃ、１７ｃの板面が左右対称に斜め下方に向かって位置される。なお、器具本体１７の表面には、鏡面加工を施して反射体の機能を持たせて構成する。
【００２６】
筐体１５に固定された器具本体１７に１０個の光源体１２が配置され支持される。即ち、互いの背部が対向するＶ字の一対の辺部１７ｃ、１７ｃに対して、各光源体１２がＬＥＤ１１の配列方向に略直交する方向、換言すれば、光源体１２の中心線ｘ−ｘに略直交する方向、具体的には、図３（ａ）に示すように器具本体１７の長手方向に略等間隔に並べて配設される。
【００２７】
詳細には、１０個の光源体１２は、５個ずつが器具本体１７のＶ字の左右両辺部１７ｃ、１７ｃに分配されて、それぞれが略等間隔になるように筐体１５の長手方向に沿って固定される。この固定は、例えば、反射体１４の底面部を器具本体１７に対してスポット溶接等の手段で実施する。これにより、１０個の光源体１２が、５個ずつに配分され照射方向が左右略対称となるように配設されて、反射体１４がなす樋及び発光素子１１がなした列は、図３（ａ）に示すように筐体１５を側方から見て縦方向に延びて配設される。したがって、発光素子１１がなした列は反射体１２が延びる方向と同方向に延びている。
【００２８】
図中１７ｄは上側反射部材として用いられる補助反射体を示し、これは、器具本体１７のＶ字の両辺部１７ｃ、１７ｃの開放端部を上方に延長しかつ略水平方向に屈曲させて一体に形成されている。この補助反射体１７ｄは、筐体１５の底面を覆うように位置され、光源体１２の上側に対向して配設されている。これにより、各ＬＥＤ１１から筐体１５の底面側（上側）に出射された光を筐体１５の開口部１５ａ側、即ち下方に向けて反射させるものである。なお、補助反射体１７ｄの表面は鏡面加工を施して構成する。
【００２９】
制光体１３は、光源体１２に実装された各ＬＥＤ１１から発した光を制御するもので、透明なアクリル樹脂等の合成樹脂で構成し、前記筐体１５の開口部１５ａを覆うカバー部材を構成するように、一面に開口部１３ａを形成した断面が略Ｖ字形をなす箱体で構成する。
【００３０】
制光体１３の内面には、プリズム１３ｂを一体に形成する。プリズム１３ｂは、光源体１２の各ＬＥＤ１１の配列方向に略直交する方向、換言すれば、光源体１２の中心線ｘ−ｘに略直交する方向に稜線が連続するように形成する（図３（ａ））。この稜線は、カバー部材である制光体１３を筐体１５に被せ、筐体１５を支柱Ｐ等に設置した場合、水平方向に略沿った方向に位置する。
【００３１】
プリズム１３ｂは、比較的指向性の強いＬＥＤ１１の光を屈折させて目的とする広範囲の配光を得るためのもので、プリズムの頂角を約９０°に形成し、制光体１３の長手方向に沿う両側面１３ｃ、１３ｃおよび先端面１３ｄに形成し、さらに断面形状においても両側面１３ｃ、１３ｃおよび底部１３ｅにわたりプリズムが連続するように形成し、複数の稜線（または溝）が所定の間隔をもって複数形成されている（図４）。
【００３２】
制光体１３は、開口部１３ａを筐体１５の開口部１５ａに合致させ、筐体１５内に支持された光源体１２および筐体１５の左方の狭い空間部に収納された点灯装置２０（図１〜図３）を覆ってネジ等で着脱ができるように取付けられる。これにより、制光体１３は、断面が略Ｖ字形をなす両側面１３ｃ、１３ｃで、略Ｖ字形の器具本体１７に支持された各５個の光源体１２をこれに対し略平行に沿った状態で覆い、かつ、プリズム１３ｂの稜線がＬＥＤ１１の配列方向（光源体１２の中心線ｘ−ｘ）に略直交する方向に位置して被せられる（図３（ａ））。なお、筐体１５の開口部１５ａと制光体１３の開口部１３ａは、シリコン樹脂等からなるパッキング（図示しない）を介して嵌合させ防水性を保持するように構成する。制光体１３は、ネジを取り外して光源体１２や点灯装置２０等の点検、修理等ができるように構成する。
【００３３】
図３（ｂ）及び図６（ａ）中符号１６は、筐体１５の一方、すなわち、点灯装置２０側に取付けられた取付け金具からなる支持部材を示している。この支持部材１６及びこれに組み合わされる取付けバンド１９を用いて、前記構成の防犯灯１０を支柱Ｐ等に支持固定する。
【００３４】
本実施形態において、防犯灯１０の寸法等は、次のように設定した。図３(ａ)に示す筐体１５の長さ寸法Ｌ１は約３８０ｍｍ、制光体１３を含めた高さ寸法Ｈ１は約２００ｍｍ、図４に示す幅寸法Ｓは約１７０ｍｍである。
【００３５】
次に、上記のように構成した防犯灯１０を、図６に示すように道路Ａの歩道側に設置された支柱Ｐに取付けて使用した場合の作用につき説明する。
【００３６】
まず、図６に示すように、支持部材１６により筐体１５を支柱Ｐの約４．５ｍの高さに取付ける。この際、筐体１５の中心線ｚ−ｚが略水平になるように設置し、制光体１３のプリズム１３ｂの稜線が道路横断方向に略沿って位置するように支持する。これにより、器具本体１７の略Ｖ字形の両辺部１７ｃ、１７ｃに支持された片側５個ずつの各光源体１２が左右対称に斜め下方に向かって位置される。
【００３７】
上記のように設置された状態で各光源体１２のＬＥＤ１１を点灯すると、各ＬＥＤ１１から放射される光軸ｏ−ｏに沿う照射光は、制光体１３のプリズム１３ｂにより屈折され、その左右の照射方向が各光軸方向に沿って左右に略対称に斜め下方に向かって放射される。同時にＬＥＤ１１の光軸に沿わない両側から放射される光は反射体１４の両側の反射面１４ａで光軸方向に反射されプリズム１３ｂによって屈折されて光軸方向に沿って左右対称に斜め下方に向かって放射される（図５（ｂ））。これにより、筐体１５の両側面から支柱Ｐの左右に向かい（図６（ａ）で図面手前と奥側に向かい）均等に放射され、歩道側及び車道側の路面を道路Ａが延びる方向に沿って照らし照明する。
【００３８】
さらに、ＬＥＤ１１の光軸に沿わない光の内、下方に放射される光は、制光体１３の底面のプリズム１３ｂによって屈折されて下方に放射される。上方に放射された光は補助反射体１７ｄで下方に反射され、下方に放射された光と共に制光体１３の底面のプリズム１３ｂによって屈折されて下方に放射され、設置された支柱Ｐの略直下に位置する下方領域の路面を照らする（図５（ｃ））。この支柱Ｐの略直下の照明により、プリズム１３ｂによって光が拡散され柔らかい光で支柱Ｐの下方領域を照らすことができると共に、人が防犯灯１０を見上げた場合に眩しさを感じることを抑制できる。
【００３９】
しかも、反射体１４に組み合わされたＬＥＤ１１の列は、反射体１４が有した樋状の反射面１４ａの内側でかつ幅方向中央部に配設されているので、ＬＥＤ１１の列が収容された反射面１４ａの幅方向両側部位にＬＥＤ１１列が夫々映り込む。それによって、個々のＬＥＤ１１が小さく高輝度であるにも拘らず、防犯灯１０の見掛け上の光源の大きさが反射面１４ａに映り込んだＬＥＤ１１列の像によって大きくなる。つまり、光源として実際に使用しているＬＥＤ１１の数よりも多くの光源が配置されているように見えるので、使用上の光源を大きく見せることができる。そのため、複数の光源体１２からなる光源のグレアを低減できる。
【００４０】
この場合、各ＬＥＤ１１とそれらが映り込む反射体１４の幅方向両側部位との間の距離が同じであることにより、反射面１４ａでの列をなして並んでいる各ＬＥＤ１１に対する反射の制御は同じである。したがって、広範囲にわたる照明、つまり、反射面１４ａで道路幅全体に広げられつつ、道路が延びる方向に遠方まで到達して道路の所定長さの範囲にわたる照明ができる。
【００４１】
これらの作用により、図６（ｂ）に概略的に示す配光状態のように、支柱Ｐの下方領域から歩道側及び車道側の道路Ａの延伸方向にわたる広範囲の配光をもって防犯灯１０としての照明を行うことができる。
【００４２】
以上、本実施形態によれば、複数のＬＥＤ１１が光源体１２の中心線ｘ−ｘに沿って略直線状に配列形成され実装された線モジュールとして構成されているので、構造的にも簡素化され組み立て作業も簡単になる。また、同時に比較的指向性の強いＬＥＤ１１の照射光を、ＬＥＤ１１の配列方向に略直交する方向に稜線が連続するように形成したプリズム１３ｂにより屈折させて広範囲の配光を得るようにしたため、従来のように、広範囲の配光を得るために数多くの高価なＬＥＤを使用することなく実現できる。これによりコスト的な問題も解消することが可能となる。
【００４３】
さらに、光源体１２は線モジュールを有して構成されているので、必要な個数の光源体１２を適宜選択して、防犯灯１０を設置する場所に合わせた配光特性を有する照明を行うことが可能となる。例えば、片側の照明が不要な行き止まりの道路の場合には、左右対称に設置された光源体の内、片側の光源体を省略、若しくは不点灯状態となし、不要な方向に向かう光を阻止して近隣住宅や畑の農産物に悪影響を与える恐れをなくすこともでき、各種の設置場所に適応可能な汎用性に優れた防犯灯を提供することもできる。さらに、点灯装置２０内に調光制御装置を設け、複数の光源体１２を適宜選択して点灯若しくは消灯させ、道路周辺の建物や環境等、設置場所の状況に合わせた防犯照明を行うことも可能となる。
【００４４】
光源体１２のＬＥＤ１１は、青色ＬＥＤチップとこの青色ＬＥＤチップにより励起される黄色蛍光体により白色を発光する高輝度、高出力の複数の表面実装形のＬＥＤをモジュール基板１１ａ上に配列した汎用性のある線モジュールとして構成し、その照射光をプリズムで制御して目的とする配光を得るようにしたので、特許文献１に示されるような砲弾形のＬＥＤ個々で配光を制御する必要がなく、コスト的にも有利となる。
【００４５】
光源体１２に反射体１４を装着して構成したので、各ＬＥＤ１１から側方に漏れる光を光軸方向に反射させて光を有効に活用することができ、一層広範囲の配光をもった照明を行うことができる。さらに補助反射体１７ｄを付加し、光源体１２を支持する器具本体１７を反射体として機能するように構成したので、ＬＥＤ１１から漏れる光をこれらで反射させて無駄な光を少なくすることができ、より一層有効に活用することができる。
【００４６】
また、光源として半導体発光素子であるＬＥＤ１１を用いているため寿命が長くなり、ランプ交換などの維持費をかけることなく長期にわたり使用することができる。同時にＬＥＤ１１とプリズム１３ｂの組み合わせにより、広範囲の配光をもった照明を行うことができ、防犯灯１０の設置間隔を広くすることも可能となり、経済的かつ広範囲の照明を行うことができる。
【００４７】
また、光源としてＬＥＤ１１を使用したので、従来の蛍光ランプやＨＩＤランプにおける点灯装置の重い安定器等が不要で、防犯灯１０全体の小形化、軽量化を図ることができ、防犯灯１０を支柱Ｐの高所に設置する際の施工性が容易となり、確実に設置することが可能となる。
【００４８】
複数の光源体１２は、略Ｖ字形をなす器具本体１７の互いの背部が対向するＶ字の一対の辺部１７ｃ、１７ｃに、それぞれ分配されて配置されているので、各ＬＥＤ１１の照射光を照射方向が略対称となるように確実に配光制御することができる。
【００４９】
複数個の光源体１２は、略Ｖ字形をなす器具本体１７に支持されて一括して筐体１５内の一方の広い空間部に収納され、また筐体１５内の他方の狭い空間部には点灯装置２０が収納されるので、部品配置も簡素化された組み立て易い防犯灯を提供できる。
【００５０】
以上、本実施形態において、制光体１３のプリズム１３ｂの頂角を約９０°に形成したが、光源体１２との位置関係によって、その頂角の角度等を適宜選択し、より目的に近い広範囲の配光を得るように構成してもよい。また、プリズム１３ｂは、制光体１３の長手方向に沿う全面に形成したが、図７（ａ）に示すように、光源体１２に対応する部分にのみ形成するようにしてもよい。この場合プリズムを形成しない部分は透明または光拡散処理を施した半透明の状態になるように構成する。
【００５１】
また、断面形状においてプリズム１３ｂが連続するように形成したが、図７（ｂ）に示すように、光源体１２に対応する部分は透明体で構成し、下方および上端部分のみにプリズム１３ｂを形成するように構成してもよい。これによれば、光源体１２に対応する側面部分が透明となっているので、指向性の強いＬＥＤ１１の光を透明部分から直接放射させて、より遠方へ光が届くように構成される。また、支柱Ｐがある防犯灯直下の下方部分はプリズム１３ｂによって光が拡散され柔らかい光で支柱Ｐの下方領域を照らすことができると共に、人が防犯灯１０を見上げて見た場合に眩しさを感じることを抑制できる。さらに、上端部分のプリズム１３ｂにより、その頂角の角度等を適宜選択して設定し、筐体１５から上方に向かう光を阻止するようにすることができる。これにより、近隣住宅や畑の農作物に悪影響を与える恐れがなくなる。
【００５２】
さらに、図７（ｃ）に示すように、防犯灯１０の下方領域の照度が不足する場合には、下方のプリズムを形成せずに透明または半透明の状態に形成し、防犯灯１０図８の下方領域の路面を明るく照明するようにしてもよい。
【００５３】
光源体１２に装着した反射体１４の配置角度を変化できるようにして、配光を調整できるようにしてもよい。また、図８（ａ）に示すように、反射体１４を装着した光源体１２を器具本体１７に対して回動ができるように構成し、角度、すなわち、線状に配列されたＬＥＤ１１の配列方向とプリズム１３ｂの稜線とのなす角度が可変できるように構成して、配光をさらに調整できるようにしてもよい。これら反射体１４や光源体１２の調整機能により、例えば、曲がった道路や、曲がり角に適した配光を得ることも可能となる。
【００５４】
反射体１４、器具本体１７および補助反射体１７ｄに鏡面加工を施して構成したが、これら部材をステンレスやアルミニウム等で構成した場合には、格別に鏡面加工を施さずに構成してもよい。反射体１４は、ＰＢＴ（ポリブチレンテレフタレート）等の白色の合成樹脂で構成してもよい。さらに上記金属や合成樹脂に鏡面または半鏡面加工等を施して形成したものであってもよい。
【００５５】
反射体１４は、全ての光源体１２に対応して設けたが、目的とする配光を得るために一部の光源体にのみ対応して設けるように構成してもよい。反射体１４は、筐体１５、または光源体１２を支持する部材などと一体に形成されても、または別体に構成されていてもよい。また、複数の反射体１４は同一の材料、同一の反射性能を有して構成したが、別の材料で構成してもよく、さらには、それぞれ、若しくは一部の反射性能が異なるものでもよい。さらに、それぞれの反射体１４が一体に構成されていても、別体にそれぞれの光源体個々に対応して構成されていてもよい。
【００５６】
筐体１５内に収納した点灯装置２０は、筐体１５とは別置きに構成してもよい。筐体１５とカバー部材である制光体１３を、ネジで固定したが、筐体１５と制光体１３の一端縁部を回動自在に軸支し、この軸を支点とし開閉ができるように構成してもよい。制光体１３を筐体１５のカバー部材の機能を持たせて構成したが、図８(ｂ)に示すように、カバー部材３０は点灯装置２０を覆う部分３０ａと光源体１２に対向する開口部３０ｂをもった枠状部材で構成し、この枠状部材の開口部３０ｂに制光体１３´を嵌め込んで構成し、制光体１３は専ら光を制御するための機能のみを有して構成されたものであってもよい。
【００５７】
発光素子は、半導体発光素子であるＬＥＤ１１で構成したが、冷陰極ランプ、ハロゲンランプ、ＥＬ（エレクトロルミネセンス）等、半導体発光素子以外で構成してもよい。
【００５８】
防犯灯１０を支持部材１６により、制光体１３のプリズム１３ｂが道路横断方向に略沿って位置するように支持したが、幾何学的に厳密に道路横断方向にプリズムが位置している必要はなく、設置する現場の状況に応じ、道路横断方向から多少ずれた角度で位置されて支持されたものであってもよい。
【００５９】
第１実施形態は、屋外用の防犯灯として構成したが、研究施設、図書館や美術館等の廊下に用い、廊下の延伸方向に沿って照明を行う室内用の照明器具として構成してもよい。室内用の照明器具として構成する場合には、防水のためのパッキングは省略してもよい。  第１実施形態の防犯灯１０は、複数の発光素子１１が略線状に配列形成され、この発光素子１１の配列方向に略直交する方向に複数配設された光源体１２と；この光源体１２の発光素子１１の配列方向に略直交する方向に稜線が連続するようにプリズム１３ｂを形成し発光素子１１の照射光を配光制御する制光体１３と；光源体１２および制光体１３を支持する筐体１５と；を具備している。そのため、既述のように複数の発光素子１１が略線状に配列形成され、この発光素子１１の配列方向に略直交する方向に複数配設された光源体１２により、発光素子１１の配列を簡素化し、かつ光源体１２の発光素子１１の配列方向に略直交する方向に稜線が連続するようにプリズム１３ｂを形成し発光素子１１の照射光を配光制御する制光体１３により、広範囲にわたり照明することが可能となる。
【００６０】
更に、第１実施形態の防犯灯１０では、複数の光源体１２が、照射方向が略対称となるように互いの背部が対向する一対の辺部（取付け部）１５ｃ、１５ｃにそれぞれ配置されている。これにより、発光素子１１の照射光を確実に配光制御して広範囲にわたり照明することが可能である。
【００６１】
なお、反射部材が有する鏡面反射面が樋状をなすとは、それが延びる方向と直交する方向の断面が、放物面及び円弧面を含む略Ｕ字形状、又はＶ字形状等であることを指している。そして、鏡面反射面は、反射部材を形成する合成樹脂等の成形体の表面にアルミニウムや銀等の金属製光反射膜を被着することによって設けることができる。
【００６２】
器具本体の長手方向とは、反射部材及び発光素子列が延びる方向に対して直角もしく斜めに交差する方向を指している。
【００６３】
上側反射部材は光源モジュールと一体に形成することもでき、或いは、光源モジュールとは別に形成してこのモジュールの上側に配設することもできる。この上側反射部材の反射面は鏡面で形成することが好ましい。更に、上側反射部材の反射面は、平坦面であっても、発光素子列の上端に向けて近付く曲面等からなる凸面、又は、この逆に発光素子列の上端から遠ざかる曲面等からなる凹面であっても差し支えない。
【００６４】
光の出射方向に対し略直交するとは、光透過部で光の反射が起きないように幾何学的に厳密に直交する方向に形成されていても、光透過部で光の反射が殆ど起きない範囲で直交に対して多少の角度がずれて配設されていてもよい。
【００６５】
カバーは、透明なアクリル樹脂やポリカーボネート樹脂等の透明合成樹脂、又は透明なガラス等の透光性を有する材料で形成できるが、乳白色等の拡散透光性材料で構成してもよい。更に、カバーは、発光素子から発した光の配光を制御するための機能がなくても良いとともに、この配光制御機能を発揮する構成を少なくとも一部に有して形成されたものであってもよい。
【００６６】
防犯灯などの照明装置においては、省エネルギー化や省施工化の考えから設置間隔を広げて照明ができるよう道路方向に沿って長手方向に広がる配光が求められている。しかしながら、このように長手方向に照射距離を広げたものは、例えば、曲がり角、カーブなどの道路に設置すると片側の照射光が余分になり、その部分が漏れ光となって近隣住宅や畑の農作物に悪影響を与える恐れがある。
【００６７】
第２実施形態は、上記の問題を解決するためになされたもので、曲がり角、カーブなどの道路で効率のよい照明ができると共に、漏れ光を最小限にすることが可能な照明装置を提供しようとするものである。
【００６８】
以下、図９〜図１０に従いその構成を説明する。なお、図９〜図１０には、第１実施形態における図１〜図８と同一部分に同一の符号を付してその詳細な説明は省略する。
【００６９】
第２実施形態の照明装置である防犯灯は、第１実施形態で構成された防犯灯１０において、筐体の中心線ｚ−ｚを境に２分割し、右側用防犯灯Ｒおよび左側用防犯灯Ｌを構成する。これにより、右側用防犯灯Ｒには、器具本体１７の右側に支持された５個の光源体１２およびこの光源体の各ＬＥＤ１１の配列方向に略直交する方向に稜線が連続するようにプリズム１３ｂを形成した制光体１３が筐体１５に組み込まれる。同様に左側用防犯灯Ｌには、器具本体１７の左側に支持された５個の光源体１２およびこの光源体の各ＬＥＤ１１の配列方向に略直交する方向に稜線が連続するようにプリズム１３ｂを形成した制光体１３が筐体１５に組み込まれる。
【００７０】
なお、左右の分割面となる筐体の側面には、アルミダイカストで側板４０、４０をそれぞれ一体に形成し、カバー部材である制光体１３との間にパッキングを介在させて防水機能をもたせて構成する。
【００７１】
上記のように構成された右側用防犯灯Ｒは、片側に支持された各光源体１２のＬＥＤ１１を点灯すると、各ＬＥＤ１１から放射される光が第１実施形態と同様に制光体１３のプリズム１３ｂによって制御され、筐体１５の片面、図９（ａ）において右側に向かって放射される。また、左側用防犯灯Ｌは、各ＬＥＤ１１から放射される光が第１実施形態と同様に制光体１３のプリズム１３ｂによって制御され、筐体１５の片面、図９（ｂ）において左側に向かって放射される。なお、支持部材１６は、支柱Ｐに対して回動が可能で、筐体１５を任意の方向に設置できる構成にする。
【００７２】
上記のように構成された右側用防犯灯Ｒおよび左側用防犯灯Ｌは、次のようにして各種の道路に設置される。すなわち、図１０（ａ）に示すように、直線状の道路Ａの場合には、１本の支柱Ｐに対して右側用防犯灯Ｒと左側用防犯灯Ｌの２台を使用して、その分割面に設けられた側板４０が対向するように、換言すれば、制光体１３が左右に延伸する道路に面するように位置させて支柱Ｐに設置する。これにより、第１実施形態と同様に、制光体１３のプリズム１３ｂの稜線が道路横断方向に略沿って位置するように設置され、図１０（ａ）に示す概略的な配光状態のように、支柱Ｐの下方領域から左右の歩道側及び車道側の道路Ａの延伸方向にわたる広範囲の配光をもって防犯灯としての照明を行うことができる。この際道路以外に漏れ光が出ないようにプリズム１３ｂによって各ＬＥＤ１１からの光は制御される。
【００７３】
次に、図１０（ｂ）に示すようにカーブを伴う道路Ａの場合には、１本の支柱Ｐに対して右側用防犯灯Ｒと左側用防犯灯Ｌの２台を使用し、右側用防犯灯Ｒは右カーブの路面に沿わせるように、所定の角度で右側に向けて支柱Ｐに設置する。左側用防犯灯Ｌは左カーブの路面に沿わせるように、所定の角度で左側に向けて支柱Ｐに設置する。これにより、右側用防犯灯Ｒにより支柱Ｐの下方領域から右側にカーブした歩道側及び車道側の道路Ａの延伸方向にわたる広範囲の配光をもって照明を行う。また左側用防犯灯Ｌにより支柱Ｐの下方領域から左側にカーブした歩道側及び車道側の道路Ａの延伸方向にわたる広範囲の配光をもって照明を行う。これにより、図１０（ｂ）に示す概略的な配光状態のように、左右の防犯灯Ｒ、Ｌによって、カーブに沿った広範囲の配光をもって照明を行うことができる。同時に、図１０（ｂ）中破線で示すような漏れ光が発生することがなく、近隣住宅や畑の農作物に悪影響を与える恐れがなくなる。
【００７４】
次に、曲がり角の道路Ａの場合には、図１０（ｃ）に示すように、１本の支柱Ｐに対して右側用防犯灯Ｒと左側用防犯灯Ｌの２台を使用し、道路の曲がりに沿うように約９０°の角度隔たるように配置する。すなわち、右側用防犯灯Ｒは右に曲がった路面に沿わせるように右側に向けて支柱Ｐに設置する。左側用防犯灯Ｌは左に曲がった路面に沿わせるように左側に向けて支柱Ｐに設置する。これにより、右側用防犯灯Ｒにより支柱Ｐの下方領域から右側に曲がった歩道側及び車道側の道路Ａの延伸方向にわたる広範囲の配光をもって照明を行う。また左側用防犯灯Ｌにより支柱Ｐの下方領域から左側に曲がった歩道側及び車道側の道路Ａの延伸方向にわたる広範囲の配光をもって照明を行う。これにより、図１０（ｃ）に示す概略的な配光状態のように、左右の防犯灯Ｒ、Ｌによって、曲がり角の道路Ａに沿った広範囲の配光をもって照明を行うことができる。同時に、従来の設置形態を示す図１０（ｄ）に破線で示すような漏れ光が発生することがなく、角の住宅や畑の農作物に悪影響を与える恐れがなくなる。図中１０´は従来の防犯灯である。
【００７５】
次に、行き止まりの道路Ａの場合には、図１０（ｅ）に示すように、左側用防犯灯Ｌを１台使用し、その分割面に設けられた側板４０が行き止まりの奥に面するように、換言すれば、制光体１３が延伸する道路Ａに面するように位置させて支柱Ｐに設置する。これにより、第１実施形態と同様に、制光体１３のプリズム１３ｂの稜線が道路横断方向に略沿って位置するように設置され、図１０（ｅ）に示す概略的な配光状態のように、支柱Ｐの下方領域から歩道側及び車道側の道路Ａの延伸方向にわたる広範囲の配光をもって照明を行うことができる。同時に、破線で示すような漏れ光が発生することがなく奥の住宅や畑の農作物に悪影響を与える恐れがなくなる。なお、図１０（ｅ）と逆に、行き止まり道路の左側に支柱を立てて防犯灯を設置する場合には右側用防犯灯Ｒを１台使用し、その制光体１３が延伸する道路Ａに面するように位置させて支柱Ｐに設置すれば、同様の作用効果を得ることができる。
【００７６】
以上、第２実施形態によれば、曲がり角、カーブ、行き止まりなどの道路Ａで効率のよい照明ができると共に、漏れ光を最小限にすることができる。同時に各種設置場所の条件に適合可能な汎用性に富んだ照明装置をなす防犯灯を提供することができる。
【００７７】
また、第２実施形態の防犯灯によれば、片側だけの配光でよいので、光源体１２のＬＥＤ１１の数は少なくすることができ、安価にできると共に、反射体１４や制光体１３などの光学系が半分となり器具を小型・軽量に構成することができ支柱への設置作業も楽に行える。
【００７８】
第２実施形態において、制光体としてプリズムを使用したが、凸レンズ等のレンズ体で構成してもよい。この場合、光学系部品としては、光源体とレンズ体、または光源体と反射体およびレンズ体で構成してもよい。
【００７９】
その他、第２実施形態における他の構成、作動、作用効果、変形例等は、第１実施形態と同様である。
【００８０】
図１１〜図２０に従い本発明の第３実施形態を説明する。なお、図１１〜図１９には、第１実施形態における図１〜図８と同一部分に同一の符号を付してその詳細な説明は省略する。
【００８１】
第３実施形態の照明装置である防犯灯１０が備えた筐体１５は、金属例えばアルミニウムのダイキャスト製であり、この筐体１５の内面にねじ止め等により固定された器具本体１７も金属好ましくは熱伝導性が良い例えばアルミニウム製である。器具本体１７は、互いの背面が対向する一対の取付け部をなす辺部１７ｃ、１７ｃと、これらを一体に接続した稜部１７ｂを有していて、長手方向と直交する方向の断面がＶ字状に形成されている。なお、稜部１７ｂは尖っていてもいなくてもよい。第３実施形態の器具本体１７は第１実施形態で説明した上側反射体に相当する構成を有していない。
【００８２】
図１４に示すように稜部１７ｂを通る鉛直線Ｃに直交する水平線Ｄと、両辺部１７ｃ、１７ｃとが挟む開き角θ１は、３０°〜６０°である。この開き角θ１により、光源体１２が点灯された状態で、防犯灯１０の両側斜め下方向への照射距離を長く確保できる。即ち、防犯灯１０として必要とされる道路の長手方向（延び方向）に例えば１７．５ｍの範囲にわたって光を照射することができる。
【００８３】
両辺部１７ｃ、１７ｃの表面に、器具本体１７の長手方向に並べて取付けられた複数の光源体（光源モジュール）１２は、図１８及び図１９に示すように反射体（反射部材）１４と、この裏面に重ねられたモジュール基板１１ａと、この基板に実装された複数のＬＥＤ（発光素子）１１を備えている。
【００８４】
反射体１４は、例えばＰＢＴやＡＢＳ等の合成樹脂の成形体の表面にアルミニウム（銀でも良い）を蒸着して形成されている。なお、蒸着は図１８（Ｂ）〜（Ｄ）中寸法Ｅ１の範囲についてのみ施されて、反射体１４の取付け側の部位である寸法Ｅ２の範囲については施されていない。反射体１４は、その長手方向に延びる樋状の反射面１４ａを有している。この反射面１４ａは蒸着されたアルミニウムによって鏡面となっている。
【００８５】
反射体１４の開口幅Ｅ（図１７参照）は２０mm〜５０mmである。この開口幅Ｅによって、光源体１２ひいては防犯灯１０のコンパクト化を図りつつ、光源体１２から出射される光の広がりが絞られ過ぎないようにして、目的とする照射範囲を照射できる。具体的には、道路照明においては道路幅全体にわたる照明が可能となるように出射光を制御できる。
【００８６】
図１７（Ｂ）及び図１９（Ｂ）に示すように反射体１４は、その幅方向（これは前記長手方向に直交する方向を指している。）中央部に長孔１４ｂを有している。長孔１４ｂは反射体１４の長手方向に延びていて、この長孔１４ｂにより反射面１４ａが反射体１４の幅方向（左右方向）に二分されている。
【００８７】
第３実施形態の反射体１４は上側反射部材をなす反射壁部１４ｃを一体に有している。図１７（Ａ）及び図１８（Ｄ）に示すように反射壁部１４ｃは、反射体１４の上端部を閉じる壁部であって、反射面１４ａの上端から直角に折れ曲がるように連続して形成されている。反射壁部１４ｃの下面は、平坦であるとともに、そこに蒸着されたアルミニウムによって鏡面となっている。なお、この蒸着の範囲は前記寸法Ｅ１の範囲に限定されている。
【００８８】
反射体１４の下端部には反射壁部１４ｃに相当する構成がなく、したがって、図１７（Ａ）及び図１９に示すように反射体１４の下端は開放されている。そのため、図１８（Ａ）に示すように反射体１４を正面に見て、長孔１４ｂは、３方を囲まれるように設けられている。つまり、長孔１４ｂの左右両側が反射面１４ａで囲まれ、長孔１４ｂの上方が反射壁部１４ｃで囲まれている。
【００８９】
反射体１４はその上端から上方に一体に突出する上側の固定部１４ｄを有しているとともに、下端から上方に一体に突出する上側の固定部１４ｅを有している。図１８（Ａ）（Ｄ）に示すように上下の固定部１４ｄ,１４ｅの中央部にねじ等の固定部品を通すための通孔が形成されている。
【００９０】
図１９（Ｂ）に示すように反射体１４の裏面、例えば固定部１４ｄ,１４ｅの中央部裏面に夫々嵌合凸部１４ｆが一体に突設されていて、この部分に前記通孔が貫通されている。更に、反射体１４の裏面には、嵌合凸部１４ｆと異なる位置で、複数例えば一対の係合爪１４ｇが一体に突設されている。これらの係合爪１４ｇはその付け根を支点に弾性変形が可能である。
【００９１】
モジュール基板１１ａは、反射体１４の裏面と略同じ大きさの電気絶縁板と、配線パターンと、ヒートスプレッダとしての銅箔とからなる。配線パターンはＬＥＤ１１を直列に接続するために電気絶縁板の表面に設けられている。銅箔は、配線パターンと電気的に絶縁された状態で電気絶縁板の表裏両面に渡って連続して設けられている。
【００９２】
図１９に示すようにモジュール基板１１ａの長手方向両端部中央に嵌合部２１が夫々設けられている。これら一対の嵌合部２１は、嵌合凸部１４ｆの形状に対応しており、例えばモジュール基板１１ａの長手方向の端に開放するＵ字形状の溝からなる。なお、嵌合凸部１４ｆの形状が円形の場合、嵌合部２１は円形の孔等で形成することも可能である。
【００９３】
更に、図１９に示すようにモジュール基板１１ａの両側縁の中央部裏面には夫々爪受け溝２２が設けられている。なお、このように嵌合部２１とは異なる位置に設けられた爪受け溝２２は省略することが可能である。しかし、前記係合爪１４gが係合する部位を、モジュール基板１１ａの側縁に開放する爪受け溝２２とした構成では、係合爪１４ｇが反射体１４の幅方向にはみ出ることがない。それにより、後述のように反射体１４を並設する上で、隣接する反射体１４間に間隙が極力生じないようにして複数の反射体１４の配置をコンパクトにでき、ひいては防犯灯１０のコンパクト化を促進できる点で好ましい。
【００９４】
モジュール基板１１ａは、その嵌合部２１を反射体１４の嵌合凸部１４ｆに夫々嵌合させるとともに、爪受け部２２に反射体１４の係合爪１４ｇを夫々係合させることにより、図１７及び図１８に示すように反射体１４の裏面に位置決めされるとともに積層された状態に取付け保持される。これにより、器具本体１７への光源体１２の取付けに際し、モジュール基板１１ａと反射体１４を別々に取付ける手間を要することなく、モジュール基板１１ａと反射体１４を一つのアセンブリとした状態で取付けることができる点で好ましい。
【００９５】
ＬＥＤ１１は図１７（Ｂ）等に示すようにモジュール基板１１ａの表面(実装面)にその配線パターンと電気的に接続して実装されている。具体的には、図１８（Ａ）（Ｄ）で代表して示すようにＬＥＤ１１は、互いに逆方向に突出するアノード（電極）１１ｃ及びカソード（電極）１１ｄを有していて、これらの電極を前記配線パターンに半田付けすることによって実装されている。この場合、アノード１１ｃ及びカソード１１ｄがモジュール基板１１ａの長手方向、言い換えれば、各ＬＥＤ１１がなした直線状の列が延びる方向に並ぶようにＬＥＤ１１は実装されている。更に、各ＬＥＤ１１のモジュール基板１１ａ側とアノード１１ｃとを熱的に接続して放熱する放熱手段(図示せず)を設けても良い。この場合、アノード１１ｃ側がカソード１１ｄに比べて温度が上昇し易いので、アノード１１ｃとカソード１１ｄを対向させて配置することによって、モジュール基板１１ａを均熱化し、各ＬＥＤ１１の温度のばらつきを抑制することができる。
【００９６】
各ＬＥＤ１１の実装間隔Ｆは５mm〜２０mmである。このようにＬＥＤ１１の実装間隔Ｆを５mm以上とすることで、ＬＥＤ１１がなした列が延びる方向に放射された光が、隣接するＬＥＤ１１に遮られて光の取出し効率が低下することを抑制できる。そして、ＬＥＤ１１の実装間隔Ｆを２０mm以下とすることで、個々のＬＥＤ１１が一つの輝点として認識されることを抑制しつつの光源を見掛け上大きく視認させてグレアを低減させることができる。
【００９７】
このようにＬＥＤ１１が複数実装されたモジュール基板１１ａと反射体１４が既述のように組立てられることにより、各ＬＥＤ１１は、反射体１４の内側に臨むとともに反射体１４を正面から見てその長孔１４ｂに配置される。即ち、列をなした複数のＬＥＤ１１は、その列が反射体１４の幅方向両側部位、つまり、反射面１４ａの左右両側に映り込むように、反射面１４ａの内側でかつ幅方向中央部に配設されている。
【００９８】
言い換えれば、反射体１４の幅方向両側部位は、複数のＬＥＤ１１がなした列を中心として左右対称に設けられている。そのため、各ＬＥＤ１１とそれらが映り込む反射体１４の幅方向両側部位との間の距離が同じであることにより、列をなして並んでいる各ＬＥＤ１１に対する反射面１４ａでの反射の制御が同じであり、これにより道路幅全体に光を広げつつ道路が延びる方向に所定長さの範囲にわたる照明ができるようになっている。これに対し、列をなして並んでいる各ＬＥＤ１１と反射壁部１４ｃとの距離は夫々異なっており、反射壁部１４ｃの反射面は専らこれに最も近い位置のＬＥＤ１１に対して下方への反射を主に制御するようになっている。
【００９９】
しかも、図１８（Ｃ）に示すようにＬＥＤ１１の光出射正面（図１８（Ｃ）で上面）の高さ位置は、反射体１４の反射面１４ａの焦点Ｇに位置せず、この焦点Ｇから裏面方向（図１８（Ｃ）で下方向）に２mm（これを−２mmと称する。）の範囲Ｋ１内、又は、焦点Ｇから正面方向（図１８（Ｃ）で上方向）に２mm（これを＋２mmと称する。）の範囲Ｋ２内に設定されている。これにより、各ＬＥＤ１１の光が平行光となって出射されることを防止し、かつ、出射光を広げて効率よく道路面等を照射することができる。
【０１００】
又、モジュール基板１１ａが反射体１４に保持された状態で各ＬＥＤ１１は長孔１４ｂ内に配置されているため、これらＬＥＤ１１のアノード１１ｃ及びカソード１１ｄは、光源体１２を正面から見た状態で反射体１４により覆われることなく、反射体１４の内側に露出された状態にある。これにより、ＬＥＤ１１が点灯された状態で、このＬＥＤ１１の発熱部に至近距離で配設されている金属製のアノード１１ｃ、カソード１１ｄ、及び半田に伝導するＬＥＤ１１の熱を、反射体１４に妨げられることなく空気中に放出できる。この放出は後述する制光体（カバー）１３を用いない場合に特に促進される。そして、こうした放熱に伴い、各ＬＥＤ１１の温度上昇が抑制されて発光効率及び寿命の低下を抑制できる。
【０１０１】
しかも、各ＬＥＤ１１は直線状の列をなして並べられており、これらと長孔１４ｂの両側の縁との間にスリット状の隙間が形成される。このため、このスリット状の隙間を通る空気の流れで各ＬＥＤ１１に周囲に熱が留まることが抑制されて、これらＬＥＤ１１からの放熱が促進されるので、各ＬＥＤ１１の温度差が生じないようにできる。この放出は後述する制光体（カバー）１３を用いない場合に特に促進される。そして、こうした放熱に伴い各ＬＥＤ１１の光束の発光色のばらつきを抑制できる。
【０１０２】
なお、第３実施形態では、ＬＥＤ１１からの放熱促進のために、アノード１１ｃとカソード１１ｄの双方及びこれらの半田付け部分を、制光体１３の内側に露出させたが、これに代えて、アノード１１ｃとカソード１１ｄの一方及びその半田付け部分は、反射体１４で覆われるようにしても良い。この場合にも、ＬＥＤ１１の放熱性を向上できるに伴い発光性能の低下を抑制できる。即ち、アノード１１ｃとカソード１１ｄの少なくとも一方を制光体１３の内側に露出させることにより、モジュール基板１１ａを通しての後述の放熱に加えて制光体１３の内側への放熱ができる。したがって、発光性能の低下が抑制されて、高性能な防犯灯１０とすることが可能である。
【０１０３】
各光源体１２は、器具本体１７の両辺部１７ｃの表面にこれら両辺部１７ｃの長手方向に並べて固定される。この固定は、固定部品例えば光源体１２の上下の固定部１４ｄ,１４ｅの通孔を通って辺部１７ｃにねじ込まれるねじ２５（図１４参照）によりなされている。ねじ２５の締め付けにより、モジュール基板１１ａは、反射体１４と器具本体１７とで挟着されて、反射体１４の裏面及び辺部１７ｃの表面に熱伝導ができるように密接される。したがって、防犯灯１０の点灯時にＬＥＤ１１が発する熱の多くは、モジュール基板１１ａを経由して器具本体１７に伝導し、更に、この器具本体１７から筐体１５に伝導して、筐体１５の表面から大気中に放出される。こうしたＬＥＤ１１からの放熱において、既述のようにモジュール基板１１ａには銅箔がヒートスプレッダとして設けられているので、この銅箔を経由してモジュール基板１１ａから器具本体１７に効率よく放熱させることができる。なお、モジュール基板１１ａの銅箔と反射体１４の蒸着層とは非連続である。
【０１０４】
各光源体１２が互いに並べられた状態は図１５及び図１６に示される。各光源体１２が有した複数のＬＥＤ１１がなす列の延びる方向は、各光源体１２の並び方向に対して直交している。例えば図１６の状態では各光源体１２が横方向に並設されているのに対して、夫々の光源体１２のＬＥＤ１１列は縦方向に配列されている。
【０１０５】
そして、図１６に示すように器具本体１７に固定された各光源体１２のＬＥＤ列の相互間隔Ｉは、３０mm〜７０mmである。このような間隔の設定により、並設された光源体１２のＬＥＤ列が独立して視認され難くして、各光源体１２が、恰も、筐体１５の長手方向に沿う一つの光源として見掛け上視認され易くなっている。こうした光源体１２の並設は、既述のように光源体１２がその上下に設けた固定部１４ｄ,１４ｅを設けたことにより、並び方向に隣接した光源体１２の相互間隔を最小にして、既述の相互間隔Ｉを得ることで実現している。
【０１０６】
以上のように複数の光源体１２が固定された器具本体１７を支持した筐体１５は、道路際に所定間隔で立てられる支柱Ｐの上部に、図１１に示すように支持部材１６及び取付けバンド１９を用いて支持固定される。この場合、図１５（Ａ）に示すように支柱Ｐの軸線、つまり、鉛直線Ｊに対して筐体１５は、道路の中央部側程高くなるように斜め上向きに傾けて固定される。この傾き角θ２は１０°〜４０°である。このような傾き角θ２の設定により、道路幅の中央部に向けて光が照射されて、照射面の照度を高くできるようになっている。又、以上の傾き角θ２によって、防犯灯１０の設置状態で筐体１５を側方から見たときに、各ＬＥＤ列はその上側ほど鉛直線Ｊに寄るように斜めに配列され、同様に反射体１４の樋状をなす反射面１４ａもその上側ほど鉛直線Ｊに寄るように斜めに配設される。
【０１０７】
又、カバーとしての制光体１３は、筐体１５に支持されて各光源体１２及び器具本体１７などを覆っている。制光体１３は透明なアクリル樹脂等の透光性の合成樹脂で形成されており、その表面は内部を透視させないようにするためにフロスト加工が施されている。図１２〜図１４に示すように制光体１３は一対の第１の光透過部１３ｆと一対の第２の光透過部１３ｇを有している。第１の光透過部１３ｆは、器具本体１７の斜めの両辺部１７ｃと略平行に設けられていて、それにより、反射体１４の反射面１４ａで反射された光の出射方向に対し直交して配設されている。第２の光透過部１３ｇは、第１の光透過部１３ｆの下縁から斜め上向きに折れ曲がっているとともに反射壁部１４ｃに対向してその下方に設けられている。それにより、反射壁部１４ｃで下方に反射された光の出射方向に対し直交して配設されている。
【０１０８】
こうした制光体１３の採用により以下の利点がある。即ち、各光源体１２の反射面１４ａで反射された光及び各ＬＥＤ１１から出射されて第１の光透過部１３ｆに直接入射した光は、この反射面１４ａに側方から対向した制光体１３の第１の光透過部１３ｆを透過する。この場合、第１の光透過部１３ｆがこれを透過しようとする光（図１４中矢印Ｎで代表する。）の出射方向に対し直交しているので、第１の光透過部１３ｆに入射された光は、第１の光透過部１３ｆで反射され難く第１の光透過部１３ｆを透過し易い。同様に、反射壁部１４ｃで反射された光及び主として最も下位置のＬＥＤ１１から出射されて第２の光透過部１３ｇに直接入射した光は、この反射壁部１４ｃに下方から対向した制光体１３の第２の光透過部１３ｇを透過する。この場合、第２の光透過部１３ｇがこれを透過しようとする光（図１４中矢印Ｍで代表する。）の出射方向に対し直交しているので、第２の光透過部１３ｇに入射された光は、第２の光透過部１３ｇで反射され難く第２の光透過部１３ｇを透過し易い。そのため、制光体１３での光のロスが少なくなるに伴い、効率よく光を照射することができる。
【０１０９】
前記構成の防犯灯１０によれば、複数のＬＥＤ１１が、樋状の反射面１４ａを有した反射体１４が延びる方向と同方向に延びる列をなして設けられ、かつ、このＬＥＤ１１の列を備えた複数の光源体１２を筐体１５の長手方向に並設したので、ＬＥＤ１１の配列を簡素化できる。更に、各光源体１２が、鏡面からなる樋状の反射面１４ａを有した反射体１４を備えていて、この反射体１４によりＬＥＤ１１が発した光の配光を制御して投光できるので、筐体１５の長手方向に並設された光源体１２によって、広範囲にわたり照明することが可能である。
【０１１０】
しかも、反射体１４に組み合わされたＬＥＤ１１の列は、反射体１４が有した樋状の反射面１４ａの内側でかつ幅方向中央部に配設されているので、ＬＥＤ１１の列が収容された反射面１４ａの幅方向両側部位にＬＥＤ１１列が夫々映り込む。それによって、個々のＬＥＤ１１が小さく高輝度であるにも拘らず、防犯灯１０の見掛け上の光源の大きさが反射面１４ａに映り込んだＬＥＤ１１列の像によって大きくなる。つまり、光源として実際に使用しているＬＥＤ１１の数よりも多くの光源が配置されているように見えるので、使用上の光源を大きく見せることができる。そのため、複数の光源体１２からなる光源のグレアを低減できる。
【０１１１】
この場合、各ＬＥＤ１１とそれらが映り込む反射体１４の幅方向両側部位との間の距離が同じであることにより、列をなして並んでいる各ＬＥＤ１１に対する反射面１４ａでの反射の制御は同じである。したがって、広範囲にわたる照明、つまり、図１４中矢印Ｎで代表される光は反射面１４ａで道路幅全体に広げられつつ、道路が延びる方向に遠方まで到達して道路の所定長さの範囲にわたる照明ができる。
【０１１２】
なお、レンズを用いて防犯灯の配光を制御することはできるが、この場合、光源の輝度が高まってグレアを感じ易くなる点で不利である。そればかりか、大光量が必要な場合には、それに応じてＬＥＤを数多く並べてそれらからの出射光を制御するレンズは必然的に大きくなるので、コスト的に不利である。又、小さなレンズを複数用いて配光を制御する場合は、組立ての煩わしさが高められるだけではなく、複数のレンズを通った光により光源が独立して見えるようになるので、高輝度のＬＥＤが個々に認められてつぶつぶ感が強くなり、グレアが高くなる点で不利である。しかし、第３実施形態の防犯灯は、既述のように反射により光源を大きく見せる光源体１２を用いて配光制御をするので、以上のような不利がない。
【０１１３】
更に、下端が開放された反射体１４にその上側開口を閉じる反射壁部１４ｃを設けたので、この反射壁部１４ｃの下面の反射面により、主として最も上位置のＬＥＤ１１から上方に放射された光を下方に反射させて、ＬＥＤ１１から発した光が防犯灯１０の上方へ抜けてロスとならないようにできる。これにより、防犯灯１０の上方へ光が漏れることによる光害を低減できるとともに、図１４中矢印Ｍで代表される光によって防犯灯１０の略直下の明るさを確保する照明ができる。
【０１１４】
以上のように構成された防犯灯１０の配光特性を図２０に示す。図２０中点線で示したＱは、器具本体１７の稜部１７ｂを通る鉛直線を基準とする筐体１５の長手方向に沿う配光特性を示している。この配光特性Ｑは防犯灯１０の長手方向に沿って（図１２中二点鎖線Ｑ１で示す。）測定された配光特性であり、図２０中０°は防犯灯１０の真下の光度を示しており、このときの光度を基準値１００として示したものである。前記構成の防犯灯１０は、前記鉛直線に対し０°〜±５０°の範囲に全光束量があって、かつ、前記鉛直線に対し０°〜±２０°未満での光束配分率が５０％〜６０％、±２０°〜±５０°での光束配分率が４０％〜５０％の配光特性を有している。
【０１１５】
この配光特性によれば、防犯灯１０に最も近い被照射面である防犯灯直下に、高光度のスポット光を照射できることが明らかである。これにより、防犯灯直下の水平面照度を効率よく高めることができる。このように防犯灯直下を明るく照明できるに伴い光源の眩しさ感が低減されるため、防犯灯としての適用においてグレヤ指標であるＧＲ値を低減できる。
【０１１６】
更に、図２０中実線で示したＲは、器具本体１７の稜部１７ｂを通る鉛直線を基準とする筐体１５の長手方向と直交する方向に沿う配光特性を示している。この配光特性Ｒは図１２中二点鎖線Ｒ１に沿って測定された配光特性である。前記構成の防犯灯１０は、前記鉛直線に対し０°〜±２０°未満での光束配分率が１０％〜２０％、±２０°〜±５０°未満での光束配分率が３５％〜４５％、±５０°〜±９０°未満での光束配分率が３５％〜４５％、±９０°〜１８０°での光束配分率が５％未満の配光特性を有している。
【０１１７】
この配光特性によれば、防犯灯１０の左右の両側斜め下方向への光の配分により例えば道路をそれが延びる方向に沿って広範囲にわたり照明することができるとともに、防犯灯１０の直下に対する光の配分により水平面照度を高めることができる。従って、図２０中Ｑで示した配光特性と相まって、防犯灯１０直下が明るく照明されて光源の眩しさ感が低減される。これにより、防犯灯１０としての適用においてグレヤ指標であるＧＲ値を低減でき、例えばＧＲ値を５０以下にすることができる。しかも、図２０中Ｑで示した配光特性から明らかなように防犯灯１０の上側に対する光の配分が５％未満であるため、防犯灯１０の上側に対する光害を抑制できる。
【０１１８】
なお、図２１（Ａ）（Ｂ）は比較のために示した公知の防犯灯の配光特性を示し、これらの図において点線及び実線での表記、及び防犯灯直下の光度を基準値１００とした点は図２０と同じである。そして、図２１（Ａ）は光源に蛍光灯を用いた防犯灯の配光特性を示し、図２１（Ｂ）は光源の水銀灯を防犯灯の配光特性を示している。これらの配光特性は第３実施形態の配光特性とは全く異なり、いずれも最高輝度が低く、かつ、図２１（Ａ）の防犯灯では道路の延びる方向へ十分遠くまで照らし難く、図２１（Ｂ）の防犯灯ではその直下の明るさを十分に得ることが難しい。
【０１１９】
以上、本発明の好適な実施形態を説明したが、本発明は上述の各実施形態に限定されることなく、本発明の要旨を逸脱しない範囲内において、種々の設計変更を行うことができる。
【図面の簡単な説明】
【０１２０】
【図１】本発明の第１実施形態の照明装置を、制光体を分離した状態で示す斜視図。
【図２】同じく照明装置を、制光体の一部を切り欠いて示す正面図。
【図３】同じく照明装置を示し、（ａ）は制光体の一部を切り欠いて示す側面図、（ｂ）は支持部材を示す側面図。
【図４】同じく照明装置を、制光体の一部を切り欠き、図３（ａ）のＡ−Ａ線に沿い断面して示す図。
【図５】同じく照明装置の光源体を示し、（ａ）は正面図、（ｂ）は平面図、（ｃ）はプリズムとの関係を示す側断面図。
【図６】（ａ）は同じく照明装置を道路に設置した状態を示す図、（ｂ）は点灯時の配光状態を概略的に示した図。
【図７】同じく照明装置の変形例を示し、（ａ）は第１の変形例を示す図３（ａ）相当図、（ｂ）は第２の変形例を示す図５（ｃ）相当図、（ｃ）は第３の変形例を示す    図５（ｃ）相当図。
【図８】同じく照明装置の更なる変形例を示し、（ａ）は第４の変形例を示す図３（ａ）相当図、（ｂ）は第５の変形例を示す正面図。
【図９】本発明の第２実施形態の照明装置を示し、（ａ）は右側用防犯灯Ｒを示す図４相当図、（ｂ）は左側用防犯灯Ｌを示す図５相当図。
【図１０】同じく照明装置を各種の道路に設置し点灯したときの配光状態を概略的に示した図で、（ａ）は直線道路における配光状態、（ｂ）はカーブを伴う道路における配光状態、（ｃ）は曲がり角における配光状態、（ｅ）は行き止まりにおける配光状態、（ｄ）は曲がり角における従来の配光状態。
【図１１】本発明の第３実施形態の防犯灯を示す側面図。
【図１２】第３実施形態の防犯灯を示す斜視図。
【図１３】第３実施形態の防犯灯を一部切欠いて示す正面図。
【図１４】第３実施形態の防犯灯を示す断面図。
【図１５】（Ａ）は第３実施形態の防犯灯の各光源体の配列を示す側面図。（Ｂ）は同光源体の配列を斜め上側から見て示す斜視図。
【図１６】第３実施形態の防犯灯の各光源体の配列を示す側面図。
【図１７】（Ａ）は第３実施形態の防犯灯の光源体を斜め下側から見て示す斜視図。（Ｂ）は同光源体を示す断面図。
【図１８】（Ａ）は第３実施形態の防犯灯の光源体を示す正面図。（Ｂ）は同光源体を示す側面図。（Ｃ）は同光源体を示す下面図。（Ｄ）は同光源体を示す断面図。
【図１９】（Ａ）は第３実施形態の防犯灯の光源体を分解して示す斜視図。（Ｂ）は同光源体を分解して図１９（Ａ）とは異なる方向から見て示す斜視図。
【図２０】第３実施形態の防犯灯の配光特性を示す図。
【図２１】（Ａ）（Ｂ）は第３実施形態の防犯灯の配光特性と比較するために光源が夫々異なる従来の防犯灯の配光特性を示す図。
【符号の説明】
【０１２１】
１０…防犯灯（照明装置）、１１…ＬＥＤ（発光素子）、１１ａ…モジュール基板、１２…高減退（光源モジュール）、１３…制光体（カバー）、１３ｆ…第１の光透過部、１３ｇ…第２の光透過部、１４…反射体（反射部材）、１４ａ…反射面、１４ｂ…長孔、１４ｃ…反射壁部（上側反射部材）、１４ｄ,１４ｅ…固定部、１４ｆ…嵌合凸部、１４ｇ…係合爪、１５…筐体、１７…器具本体、１７ｂ…稜部、１７ｃ…辺部（取付け部）、１７ｄ…補助反射体（上側反射部材）、２１…嵌合部
【図１】
2010153400.tif 000003
【図２】
2010153400.tif 000004
【図３】
2010153400.tif 000005
【図４】
2010153400.tif 000006
【図５】
2010153400.tif 000007
【図６】
2010153400.tif 000008
【図７】
2010153400.tif 000009
【図８】
2010153400.tif 000010
【図９】
2010153400.tif 000011
【図１０】
2010153400.tif 000012
【図１１】
2010153400.tif 000013
【図１２】
2010153400.tif 000014
【図１３】
2010153400.tif 000015
【図１４】
2010153400.tif 000016
【図１５】
2010153400.tif 000017
【図１６】
2010153400.tif 000018
【図１７】
2010153400.tif 000019
【図１８】
2010153400.tif 000020
【図１９】
2010153400.tif 000021
【図２０】
2010153400.tif 000022
【図２１】
2010153400.tif 000023